(57)【特許請求の範囲】
【請求項１】
柔軟性を有する非透水性のホース等からなる通水体に連結された透水または滲水性を有するホース状の導水部を柔軟性を有する略シート状の布巾、タオル、雑巾または手拭等の拭い布の袋状等の装填部に差し込んで装着して洗浄体を構成し水洗と洗浄とを兼ね備えてなることを特徴とする水洗兼用洗浄具。
【発明の詳細な説明】
【０００１】
【発明の属する技術分野】
この発明は、水を連続して供給して水洗と洗浄とを同時に行える水洗兼用洗浄具に関するものである。
【０００２】
【従来の技術】
従来、この種の水を用いた洗浄具としては、水を溜める容器の底部にホースの一端を接続し、このホースの他端にスポンジの洗浄部材を取り付けたホース付き水洗具がある。（例えば、特許文献１参照。）
また、スポンジ付きシャワーとして、シャワーのノズルに、ノズルより噴出した水を通す穴を多数貫通させたスポンジを取り付けたものもある。（例えば、特許文献２参照。）
【０００３】
【特許文献１】
特開平０９−１０１５６号公報
【特許文献２】
特開２０００−７０８７１号公報
【０００４】
【発明が解決しようとする課題】
しかしながら、水道の水を多く使って洗浄する、例えば、台所において汚れた食器類やバケツ等の容器類を洗うとき、濡れた布巾や雑巾類で洗浄することと洗浄した食器類等に水を掛ける水洗を別々に繰り返していた。
このような煩雑な作業を改善するため、特に洗車用として、スポンジをホースに直結したものはあったが、このスポンジ類は洗浄面が幅広く、車のように非洗浄面が比較的平面状態が多いものには適している。
【０００５】
しかしながら、台所のシンクの縁や食器類あるいは各種の容器類のように、凹凸が多く、しかも大小様々の大きさや形状を有して細かい作業が要求される洗浄の場合、隅部や凹凸に付着した細かい汚れを落とすために、十分に汚れを除去することが出来ず、何度も洗浄と水洗を繰り返す作業が必要とされた。
【０００６】
とくに、洗浄手段として用いられているスポンジは、非洗浄体との接触面の自由度を高めるために一定の厚みを必要とされ、また、含水率が高いため、必要とする通水量が連続的に供給されることを望まれる台所のシンクの縁等や食器類を洗浄するときは、十分な効果が得られないため、汚れを落とすための洗浄と洗浄した後の水洗を別々に行わなければならず、手間がかかり洗浄時間を多く取られていた。
【０００７】
本発明は上記に鑑み、洗浄と水洗が同時的に行われ、しかも非洗浄体の隅部や凹凸への洗浄が容易に行われ、かつ、通水を安定的に供給することができる水洗兼用の洗浄具を提供することを目的とするものである。
【０００８】
【課題を解決するための手段】
上記課題を達成するために、本発明に係る水洗兼用洗浄具は、柔軟性を有する非透水性のホース等からなる通水体の先端に、透水または滲水性がある導水体を連結し、その導水体を布巾、タオル、雑巾または手拭等の柔軟性を有して略シート状の拭い布の袋状等の装填部に差し込んで連結して洗浄体２を構成し水洗と洗浄とを兼ね備えてなることを特徴とするものである。
【０００９】
すなわち、前記洗浄体は、透水または滲水性を有するホース状の導水部を、柔軟性を有する略シート状の拭い布の袋状等の装填部に差し込んで装着して洗浄体２を構成し水洗と洗浄とを兼ね備えてなることを特徴とするものである。
【００１０】
【発明の実施の形態】
以下、この発明に係る水洗兼用洗浄具の実施の形態につき、添付図面に基いて説明する。
【００１１】
図１は、この発明に係る水洗兼用洗浄具の導水部を示す略示図であり、図２は、同じく水道に取り付けた使用状態を示す略示図である。
【００１２】
この発明に係る水洗兼用洗浄具は、図２に示されるように、柔軟性を有する非透水性のホース等からなる通水体１の先端に、透水または滲水性がある導水体を連結しその導水体を、透水または滲水性がある布巾、タオル、雑巾または手拭等の柔軟性を有して略シート状の拭い布の袋状等の装填部に一体または一体となるように差し込んで連結して水洗と洗浄とを兼ね備えた洗浄体２が構成されている。
【００１３】
この洗浄具は、水道の蛇口から取り入れた水は通水体１を通って洗浄体２に入り、この洗浄体２の表面から滲み出る水を流しながら茶碗、皿等の食器類やシンクの縁等に付着した汚れの除去と水洗を同時に行うものである。
この場合、通水体１はその終端部に着脱可能な連結部６を設けてワンタッチで蛇口９に連結されることが望ましい（図２参照）。
また、洗浄体２は比較的薄く乾燥し易いことが望ましい。
【００１４】
図２に示す本発明に係る水洗兼用洗具は、洗浄体２が、透水または滲水性を有するホース状の導水部３と、柔軟性を有する略シート状の拭い布４とを別体に形成されるもので、拭い布４の表面に設けた袋状の装填部分５に導水部３を差し込んで連結される。
【００１５】
このようにして形成された水洗兼用洗具は、通水体１の先端に一体に設けた洗浄体２の導水部３を拭い布の袋状等の装填部に差し込んで装着して、蛇口９に通水体１の終端に設けた連結部６を取付けて使用に供されるもので、通水体１を通って洗浄体２の導水部３に取り入れた水は、その導水体の壁面から滲み出て布巾等からなる拭い布４の表面を伝って流れ落ち、洗浄と水洗を同時に行うことができるものである。
【００１６】
なお、この洗浄体２は、導水部３を滲水性のある材質のものから製する以外、通水体１と同様の非透水性のホース類を用いてその外周面に適宜数多の小孔８を穿設して、その透水効果を高めるものであってもよい。
また、布巾や雑巾等のシート状の拭い布４は、適宜その使用目的に応じて取替えたりして使用するものである。
【００１７】
導水部３と拭い布４とで構成される洗浄体２は、図３に示すように、拭い布４を折り目から折り曲げ、ホース状の導水部３を狭持してしてその用途に応じ、また、汚れの程度に応じてすぐに取り替えることができるものであってもよい。
【００１８】
洗浄体２を構成する導水部３への拭い布４の装着手段としては、上述した以外拭い布の性状やその用途に応じて種種の形態のものが用いられる。
すなわち、図４に示すように、二枚のシートからなる拭い布４を用いて導水部３に設けた耳１０を介してスナップ７結合して、導水部３を拭い布４で狭着し洗浄体２としたり、図５に示すように、通水体１と一体に連結されるホース状の導水部３には小孔８を穿設し、耳１０を設けて図６に示す針１２を用いて、図７に示すように拭い布４を緊縛したものである。
また、紐に変えて、図８及び図９に示されるように、耳１０を有する導水部３を袋状の拭い布４に差し込んでスナップ７結合により取付けられる。
【００１９】
さらに、導水部３と拭い布４から形成される洗浄体２は、図１０に示されるように、複数の分岐管に枝分かれされた導水部３を袋状の拭い布４で被覆して、拭い布４に、通水体１を通った水が導水部３から拭い布４の全面にほぼ均等に万遍なく水が供給されることも可能である。
【００２０】
【発明の効果】
以上説明したように、本発明に係る水洗兼用洗浄具によれば、柔軟性を有する非透水性のホース等からなる通水体と、該通水体の先端に、透水または滲水性がある導水体を連結し、その導水体を布巾、タオル、雑巾または手拭等の柔軟性を有する略シート状の拭い布の袋状等の装填部に差し込んで連結してなることにより、洗浄と水洗が同時的に行われ、しかも隅部や凹凸への洗浄が容易に行われ、かつ、通水量を安定的に供給することができるものである。
すなわち、汚れを取る作業のときに同時的に導水部より供給される水により洗い流す作業を行なうことができる。
【００２１】
さらに、洗浄体は、透水または滲水性を有するホース状の導水部を、柔軟性を有する略シート状の拭い布の袋状等の装填部に差し込んで装着することにより、使用目的に応じた拭い布を選定することができ、細かい凹凸があるものから表面積の大きいものまで幅広い用途に対応することができ、また、その汚れに応じた洗浄を行うことができる。
また、作業が終り次第導水部と拭い布を分離して取外して、拭い布のみを乾燥することができ、非常に衛生的である。
【００２２】
さらに、通水体はその終端部に蛇口との連結部を設けてなることにより、容易に水道の蛇口に連結され、また取外しすることができ、作業手順を簡便とすることができる。
【図面の簡単な説明】
【図１】  この発明に係る水洗兼用洗浄具の袋状の導水部を示す略示図である。
【図２】  この発明に係る水洗兼用洗浄具の使用状態を示す略示図である。
【図３】  さらに他の例の使用状態を示す略示図である。
【図４】  同じくさらに他の例を示す略示図である。
【図５】  同じくさらに他の例の拭い布のないときの側面状態を示す略示図である。
【図６】  拭い布を緊縛する針を示す略示図である。
【図７】  洗浄体のさらに他の例の正面状態を示す略示図である。
【図８】  さらに洗浄体の拭い布のないときの他の例の側面状態を示す略示図である。
【図９】    洗浄体のさらに他の例の正面状態を示す略示図である。
【図１０】    洗浄体を構成する導水部の他の例の正面状態を示す略示図である。
【符号の説明】
１      通水体
２      洗浄体
３      洗浄体２の導水部
４      洗浄体２の拭い布
５      拭い布４の装填部
６      連結部
７ スナップ
８ 小孔
９ 蛇口
１０ 耳
１２ 針
【図１】
0003799533.tif 000002
【図２】
0003799533.tif 000003
【図３】
0003799533.tif 000004
【図４】
0003799533.tif 000005
【図５】
0003799533.tif 000006
【図６】
0003799533.tif 000007
【図７】
0003799533.tif 000008
【図８】
0003799533.tif 000009
【図９】
0003799533.tif 000010
【図１０】
0003799533.tif 000011